(57)【特許請求の範囲】
【請求項１】
防草シートを用いた植栽において、苗が植えられる穴を形成するための方法であって、
防草シートに形成された貫通孔にドリルのドリル刃を案内し、かつ前記ドリルで掘削された土の飛散を防止しながら前記土を前記ドリル刃に沿って上昇させるガイド手段と、前記ガイド手段から出た前記土を収容する収容手段とを備える器具を防草シートの上に設置し、
前記ガイド手段によって前記ドリル刃を前記貫通孔に案内し、
前記ドリルによって前記貫通孔から露出する土壌を掘削し、
前記ドリルで掘削された土を前記収容手段に収容することを含む方法。
【請求項２】
前記器具が前記貫通孔の縁と前記ドリル刃との接触を防止する接触防止手段を備え、前記接触防止手段によって前記貫通孔の縁と前記ドリル刃との接触を回避しながら前記ドリルによって前記貫通孔から露出する土壌を掘削することを含む請求項１に記載の方法。
【請求項３】
防草シートを用いた植栽において、ドリルで苗が植えられる穴を形成する方法に用いられる器具であって、
防草シートに形成された貫通孔にドリルのドリル刃を案内し、かつ前記ドリルで掘削された土の飛散を防止しながら前記土を前記ドリル刃に沿って上昇させるガイド手段と、
前記ガイド手段から出た前記土を収容する収容手段とを備える器具。
【請求項４】
前記貫通孔の縁と前記ドリル刃との接触を防止する接触防止手段を備える請求項３に記載の器具。
【請求項５】
前記防草シートの表面の凹凸を吸収する弾性手段を備える請求項３に記載の器具。
【請求項６】
前記ガイド手段が、外筒と、前記外筒の内側に設けられる第１の内筒とを備え、前記第１の内筒が可撓性を有する請求項３に記載の器具。
【請求項７】
前記外筒が、小径部と、前記小径部の内径よりも大きい内径を有する大径部とを備え、
前記ガイド手段が、前記大径部の内側に設けられ、前記第１の内筒を保持する第２の内筒と、前記第２の内筒から突出した前記第１の内筒の部分と前記大径部との間に形成される第１の空間とを備える請求項６に記載の器具。
【請求項８】
前記第２の内筒が可撓性を有する請求項７に記載の器具。
【請求項９】
前記外筒が、前記小径部と前記大径部との間にテーパー部を備え、
前記ガイド手段が、前記第１の内筒と前記テーパー部との間に形成される第２の空間を備える請求項８に記載の器具。
【発明の詳細な説明】
【技術分野】
【０００１】
本発明は、防草シートを用いた植栽において、苗が植えられる穴を形成するための方法及びその方法に用いられる器具に関する。
【背景技術】
【０００２】
従来、植物を人為的に植えて育てるという意味の植栽において、防草シートが用いられている。防草シートは、意図しない植物、いわゆる雑草の繁殖を防止するために土壌の上に敷設される。そのような植栽において、苗が植えられる穴は、スコップ等を用いて形成されていた（下記特許文献１参照）。
【０００３】
しかしながら、スコップによる掘削作業は、苗が植えられる穴を多数形成する場合には重労働となりやすく、また、作業時間も長時間必要であり、作業効率が悪かった。さらに、スコップによる掘削作業では、掘削した土が防草シートの上にこぼれやすい。これは、防草シートの上に土を残存させることになり、それが原因で雑草の繁殖を招くという問題があった。
【先行技術文献】
【特許文献】
【０００４】
【特許文献１】特開２０１２−１６１２７６号公報
【発明の概要】
【発明が解決しようとする課題】
【０００５】
本発明が解決しようとする課題は、苗が植えられる穴を少ない労力で効率よく形成することができ、かつ掘削した土を防草シートの上に残存させない方法を提供すること、及びその方法に用いられる器具を提供することである。
【課題を解決するための手段】
【０００６】
上記課題を解決するため、本発明は、防草シートを用いた植栽において、苗が植えられる穴を形成するための方法であって、防草シートに形成された貫通孔にドリルのドリル刃を案内し、かつ前記ドリルで掘削された土の飛散を防止しながら前記土を前記ドリル刃に沿って上昇させるガイド手段と、前記ガイド手段から出た前記土を収容する収容手段とを備える器具を防草シートの上に設置し、前記ガイド手段によって前記ドリル刃を前記貫通孔に案内し、前記ドリルによって前記貫通孔から露出する土壌を掘削し、前記ドリルで掘削された土を前記収容手段に収容することを含む方法を提供する。
また、本発明は、防草シートを用いた植栽において、ドリルで苗が植えられる穴を形成する方法に用いられる器具であって、防草シートに形成された貫通孔にドリルのドリル刃を案内し、かつ前記ドリルで掘削された土の飛散を防止しながら前記土を前記ドリル刃に沿って上昇させるガイド手段と、前記ガイド手段から出た前記土を収容する収容手段とを備える器具を提供する。
【発明の効果】
【０００７】
本発明によれば、苗が植えられる穴がドリルで掘削されるため、その穴を少ない労力で効率よく形成することが可能である。また、器具のガイド手段によってドリルで掘削された土の飛散を防止し、器具の収容手段によってガイド手段から出た土を収容するため、掘削した土を防草シートの上に残存させないようにすることが可能である。
【図面の簡単な説明】
【０００８】
【図１】図１は、実施例１に係る方法を説明するための断面図である。
【図２】図２は、実施例１に係る方法を説明するための断面図である。
【図３】図３は、実施例１で採用した器具の平面図である。
【図４】図４は、実施例１で採用した器具の断面図である。
【図５】図５は、接触防止手段を説明するための部分断面図である。
【図６】図６は、接触防止手段を説明するための部分断面図である。
【図７】図７は、実施例２に係る方法を説明するための断面図である。
【図８】図８は、実施例３に係る方法を説明するための断面図である。
【発明を実施するための形態】
【０００９】
以下、本発明の実施形態を図面を参照しながら具体的に説明するが、本発明の技術的範囲は以下の説明の内容に限定されるものではない。
【実施例１】
【００１０】
実施例１は、本発明の一実施形態である。実施例１に係る方法では、最初に、図１に示したように、防草シート(10)が土壌(11)の上に敷設される。従来公知の防草シートが使用可能であり、例えば、匍匐性植物の苗を植える場合には、シート表面から土壌へ根を通すことが可能な防草シートが好適である。
【００１１】
次に、図１に示したように、貫通孔(12)が防草シート(10)に形成される。貫通孔は、防草シートを貫通する穴であり、通常は円形である。但し、貫通孔の形状は、円形に限定されるものではない。貫通孔は、カッター等の切削工具を用いて形成されてもよいが、穴あけ型を用いて形成されることが好ましい。この場合、貫通孔は、加熱された穴あけ型を防草シートに押し当てることによって形成される。この方法によれば、形状及び大きさがともに等しい多数の貫通孔を少ない労力で短時間に形成することができる。
【００１２】
なお、実施例１では、防草シートを土壌の上に敷設した後に、貫通孔を防草シートに形成しているが、これに代えて、予め貫通孔が形成された防草シートを土壌の上に敷設してもよい。
【００１３】
次に、図１に示したように、特徴的な器具(13)が防草シート(10)の上に設置される。実施例１で採用した特徴的な器具は、図１に示したように、ガイド手段(14)、底部材(15)及び壁部材(16)を有して構成される。
【００１４】
図１及び図２に示したように、ガイド手段(14)は、貫通孔(12)にドリルのドリル刃(17)を案内し、かつドリルで掘削された土(18)の飛散を防止しながらその土(18)をドリル刃(17)に沿って上昇させることが可能な手段である。図３及び図４に示したように、実施例１で採用したガイド手段(14)は、円筒形の筒部材であり、底部材(15)と直交するように、底部材(15)に形成された穴(19)に差し込まれている。
【００１５】
特徴的な器具(13)は、図４に示したように、接触防止手段(20)をさらに有している。接触防止手段は、貫通孔の縁とドリル刃との接触を防止することが可能な手段である。実施例１では、底部材(15)から突出するガイド部材(14)の端部が接触防止手段として機能する。
【００１６】
また、特徴的な器具(13)は、図４に示したように、弾性手段(21)をさらに有している。弾性手段は、防草シートの表面の凹凸を吸収することが可能な手段である。ここにいう「防草シートの表面の凹凸」とは、防草シートを土壌の上に敷設したときに、防草シートで覆われた土壌の表面の凹凸によって防草シートの表面に形成される凹凸を意味する。実施例１では、底部材(15)の底面に設けられたシート状の弾性部材が弾性手段として機能する。
【００１７】
図３及び図４に示したように、壁部材(16)は、板状の底部材(15)の上に、ガイド部材(14)との間に所定間隔をおいて、ガイド部材(14)の周りを囲むように設けられている。実施例１で採用した壁部材(16)は、ガイド部材(14)の外径よりも大きい内径を有する円筒形の筒部材である。
【００１８】
特徴的な器具(13)は、図１乃至図４に示したように、収容手段(22)をさらに有している。収容手段は、ガイド手段から出る土を収容することが可能な手段である。実施例１では、ガイド手段(14)と壁部材(16)との間に形成される空間が収容手段として機能する。
【００１９】
実施例１で採用した特徴的な器具は、図５に示したように、貫通孔(12)の縁(23)を接触防止手段(20)で押さえるようにして、又は、図６に示したように、接触防止手段(20)を貫通孔(12)の縁(23)の内側の土壌(11)に差し込むようにして、防草シート(10)の上に設置される。なお、掘削作業は、作業者が底部材の上に足を載せて特徴的な器具を固定して行われることが望ましい。
【００２０】
次に、図１に示したように、ガイド手段(14)によってドリル刃(17)を貫通孔(12)に案内する。すなわち、ガイド手段(14)の中にドリル刃(17)を挿入する。それにより、ドリル刃(17)は、貫通孔(12)から露出する土壌(11)へ案内される。
【００２１】
次に、ドリルによって土壌(11)を掘削する。ドリルとしては、例えば、電動ドリルを採用し得る。実施例１では、図２で示したように、苗が植えられる穴(24)がドリルで掘削されるため、スコップ等による掘削と比べて、その穴を少ない労力で効率よく形成することができる。また、図５又は図６に示したように、接触防止手段(20)によって貫通孔(12)の縁(23)とドリル刃(17)との接触が回避されるため、掘削時に防草シート(10)がドリル刃(17)に巻き付くことを防止できる。また、図２に示したように、ドリル刃(17)がガイド手段(14)によって案内されているため、土壌(11)の表面に対してほぼ垂直な穴(24)を掘削することができ、その結果、苗を植える作業が容易になる。
【００２２】
ドリルで掘削された土(18)は、図２に示したように、ドリル刃(17)の周りがガイド手段(14)で囲まれているため、周囲に飛散することがなく、ガイド手段(14)の中でドリル刃(17)に沿って上昇し、ガイド手段(14)から出る。
【００２３】
次に、図２に示したように、ドリルで掘削された土(18)が収容手段(22)に収容される。すなわち、ガイド手段(14)から出た土(18)は、収容手段(22)として機能する空間に収容される。この空間はガイド手段(14)と隣接しているため、土(18)を自動的に収容し得る。また、この空間は、底部材(15)及び壁部材(16)によって外部と隔離されているため、掘削された土(18)が特徴的な器具(13)の周辺にこぼれ難い。したがって、防草シート(10)の上に掘削された土(18)を残存させないようにすることができる。その結果、防草シートを有効に機能させることができ、雑草の繁殖を抑制することが可能になる。
【００２４】
なお、実施例１に係る方法で形成された穴(24)には、苗を直接植えることができるが、例えば、貫通孔の縁を覆う鍔を有する器具を穴にはめ込み、その器具の中に苗を植えてもよい。
【実施例２】
【００２５】
実施例２は、本発明の他の実施形態である。整地がされてないか或いは不十分な土壌、すなわち、掘削に悪影響を及ぼす石が存在する土壌に対して、実施例１で採用した特徴的な器具を使用した場合には、剛性を有するガイド手段(14)とドリル刃(17)との間に石が挟まり、それが原因でドリル刃(17)の回転が停止したり、ドリル刃(17)が破損するおそれがある。実施例２は、そのような不具合を改善する器具を提供するものである。
【００２６】
実施例２で採用した特徴的な器具(13)は、図７に示したように、ガイド手段(14)が外筒(25)及び第１の内筒(26)を有して構成される。外筒は、円筒形の筒部材であり、剛性を有する。第１の内筒は、外筒の内側に設けられる円筒形の筒部材であり、可撓性を有する。第１の内筒としては、例えば、合成ゴムを基材として発泡させたスポンジ等を用いることができる。なお、第１の内筒は、複数の筒部材の組み合わせであってもよい。
【００２７】
この器具によれば、第１の内筒(26)が柔軟であり、第１の内筒(26)が外筒(25)とドリル刃(17)との間で変形し得るため、土壌(11)に石が存在していても、その石がドリル刃(17)の回転に悪影響を与え難いという利点がある。
【実施例３】
【００２８】
実施例３は、本発明のさらに別の実施形態である。実施例２は、第１の内筒(26)の厚さよりも小さい石しか存在しない土壌(11)に対して良好な掘削結果をもたらすが、それよりも大きい石が存在する土壌に対しては、上記した不具合が生じる場合がある。実施例３は、大きい石、例えば、ドリル刃(17)のピッチの８０％を超える大きさの石でもドリル刃(17)の回転に悪影響を与え難い構造を有する器具を提供するものである。
【００２９】
実施例３で採用した特徴的な器具(13)は、図８に示したように、外筒(25)が小径部(27)、大径部(28)及びテーパー部(29)を有して構成される。小径部(27)は、第１の内筒(26)の上端側に位置する。大径部(28)は、第１の内筒(26)の下端側に位置し、小径部(27)の内径よりも大きい内径を有する。テーパー部(29)は、小径部(27)と大径部(28)との間に存する。
【００３０】
図８に示したように、ガイド手段(14)は、第２の内筒(30)、第１の空間(31)及び第２の空間(32)をさらに有して構成される。第２の内筒(30)は、第１の内筒(26)を保持するために、大径部(28)の内側に設けられている。第２の内筒(30)は、大径部(28)の高さよりも低い高さを有する筒部材である。第２の内筒(30)は、第１の内筒(26)を変形し易くするため、可撓性を有することが好ましい。第１の空間(31)は、第１の内筒(26)と大径部(28)との間に形成されている。第２の空間(32)は、第１の内筒(26)とテーパー部(29)との間に形成されている。
【００３１】
実施例３で採用した特徴的な器具(13)を用いた実験では、ピッチが８０ｍｍのドリル刃(17)を第１の内筒(26)の中に挿入し、土壌(11)を掘削した。ドリルで掘削された土(18)は、第１の内筒(26)の下端からその内部に進入するが、第１の内筒(26)の下端の周りに第１の空間(31)が存在するため、第１の内筒(26)の下端は大きく変形し得る。したがって、大きな石(33)も第１の内筒(26)の中に取り込むことができた。第１の内筒(26)の中途部分には、第２の内筒(30)が存在するが、第２の内筒(30)が可撓性を有することによって、第１の内筒(26)の中途部分も大きく変形可能であり、さらに第２の空間(32)が第２の内筒(30)の上に存在するため、第１及び第２の内筒(26, 30)が変形し易い。その結果、掘削された土の中に粒径約７０ｍｍの石が含まれていても、ドリル刃(17)の回転に悪影響を与えずに、その石をガイド手段(14)の中でドリル刃(17)に沿って上昇させ、ガイド手段(14)から排出することができた。
【符号の説明】
【００３２】
１０  防草シート
１１  土壌
１２  貫通孔
１３  特徴的な器具
１４  ガイド手段
１５  底部材
１６  壁部材
１７  ドリル刃
１８  ドリルで掘削された土
１９  底部材に形成された穴
２０  接触防止手段
２１  弾性手段
２２  収容手段
２３  貫通孔の縁
２４  苗が植えられる穴
２５  外筒
２６  第１の内筒
２７  小径部
２８  大径部
２９  テーパー部
３０  第２の内筒
３１  第１の空間
３２  第２の空間
３３  石
【図１】
0006650643.tif 000002
【図２】
0006650643.tif 000003
【図３】
0006650643.tif 000004
【図４】
0006650643.tif 000005
【図５】
0006650643.tif 000006
【図６】
0006650643.tif 000007
【図７】
0006650643.tif 000008
【図８】
0006650643.tif 000009